(57)【要約】【課題】各種便器の排水芯高さに合わせていくつもの前板を用意することなく、排水芯高さの異なる便器あるいは、高さ調整可能な壁掛式便器に対してそれぞれ前板を用意することなく、製造コスト・納期増を無くし簡単に設置することができる衛生設備ユニットを提供することである。【解決手段】給、排水管等を内蔵する配管ユニットと、前記配管ユニットの前面側に取付けられる前板と、前記前板の前面側に大便器等の衛生器具を取付けて構成される衛生設備ユニットにおいて、前記前板に前記衛生器具の排水口位置の変化を吸収する開口部を備えたことを特徴とする衛生設備ユニット。【選択図】図１
2004116222.tif 000002
【特許請求の範囲】
【請求項１】
給、排水管等を内蔵する配管ユニットと、前記配管ユニットの前面側に取付けられる前板と、前記前板の前面側に大便器等の衛生器具を取付けて構成される衛生設備ユニットにおいて、前記前板に前記衛生器具の排水口位置の変化を吸収する開口部を備えたことを特徴とする衛生設備ユニット。
【請求項２】
前記前板は、中央部前板と両側の側部前板を備えると共に前記中央部前板に前記開口部を備えていることを特徴とする請求項１に記載の衛生設備ユニット。
【請求項３】
前記側部前板は、左右で幅が異なることを特徴とする請求項２に記載の衛生設備ユニット。
【請求項４】
前記前板又は前記中央部前板は、上下に分割され、上部前板と下部前板を備えるとともに、前記下部前板に前記開口部を備えていることを特徴とする請求項２〜３の何れかに記載の衛生設備ユニット。
【請求項５】
前記開口部の最上部は、前記下部前板に排水芯高さが最も低い前記衛生器具を設置した際に前記下部前板の高さが前記衛生器具の最上部より低くなるようにしたことを特徴とする請求項４に記載の衛生設備ユニット。
【請求項６】
前記開口部の最下部は、前記下部前板に排水芯の最も高い衛生器具を設置した際に前記衛生器具の最下部より高くなるようにしたことを特徴とする請求項４及び５に記載の衛生設備ユニット。
【請求項７】
前記上部前板及び下部前板の横幅は、前記衛生器具の横幅よりも狭いことを特徴とする請求項４〜６に記載の衛生設備ユニットを提供する。
【請求項８】
前記衛生器具は、壁掛式便器であることを特徴とする請求項１〜７に記載の衛生設備ユニット。
【発明の詳細な説明】
【０００１】
【発明の属する技術分野】
本発明は、給、排水管等を内蔵する配管ユニットと、前記配管ユニットの前面側に取付けられる前板と、前記前板の前面側に大便器等の衛生器具を取付けて構成される衛生設備ユニットに関する。
【０００２】
【従来の技術】
従来の構造を詳述すると、以下の通りである。
図１１に従来の衛生設備ユニットの概略図を示す。また、図１２に従来の衛生設備ユニットの断面図を示す。
【０００３】
図１１では、衛生設備ユニット１００は、配管ユニット１の前面からは前方に向けて便器固定ボルト６を突設してあり、この便器固定ボルト６にて便器７を配管ユニット１の前面に取付けることができるようにしてある。図１２における衛生設備ユニット１００を説明する。配管ユニット１は、上下に長い薄箱型に形成してある。内部にはロータンク１１及び洗浄管１３、排水管１４が配設してある。ロータンク１１は、配管ユニット１内に設けたフレーム２の上部に配設してあり、洗浄管１３及び排水管１４はフレーム２の内方に位置させてある。また、ロータンク１１内には、開閉弁１２が設けられている。このときフレーム２は固着具１５にて直接、床面に取付けるようにしてある。上部にはカウンター１６を設けてある。配管ユニット１の前面には洗浄管１３及び排水管１４の配管をするための開口３を設けてあり、この開口３には着脱自在に前板４を設置してある。そして、この前板４にて配管ユニット１内のフレーム２及び洗浄管１３、排水管１４が外観上見えるのを防止している。上記前板４のほぼ中央には便器固定ボルト６を挿通するための開口部５を設けてある。そしてこの開口部５を介してフレーム２より突設された便器固定ボルト６を配管ユニット１の前方に突設させるようにして開口部５に前板４を取付けてある。便器７の後部に形成されたフランジ９には上記配管ユニット１の前面より突設された便器固定ボルト６の位置と対応する位置にボルト穴８を設けてあり、このボルト穴８に便器固定ボルト６を挿入すると共に固定ナット１０を締め付けることで配管ユニット１の前面に便器７を取付けてある。（特許文献１参照）
【０００４】
このような構成をとることにより、固定ナット１０を締め付けて便器７を固定することにより便器７とフレーム２との間に前板３が狭持されることとなり、便器７の取付けと共に前板３を隙間なく便器７とフレーム２との間に取付けることができる。そうすることにより施工性が向上し、外観を損なうことなく、簡単に前板４を取付けることができるものである。
【０００５】
図１１に示した便器７のような壁掛式便器の場合には、使用者の身長、年齢、身体機能等によりそれぞれの家族において適した便器高さがあることから便器高さは、様々な場合が想定される。また、通常の腰掛式便器の排水芯高さは、便器の種類と同様に数種類ある。しかしながら、従来の衛生設備ユニットでは、設置される便器の排水芯高さに合わせて開口部５が設けられていることから排水芯高さが異なる便器を設置しようとする場合には、各便器の排水芯高さに合わせて別途前板を用意する必要があり、製造コスト、納期増が発生するという問題があった。また、高さ調整可能な壁掛式便器を設置しようとする場合も同様な問題が発生する。
【０００６】
【特許文献１】
実開平２―５４８８３号公報
【０００７】
【発明が解決しようとする課題】
本発明は、上記課題を解決するためになされたものであり、各種便器の排水芯高さに合わせていくつもの前板を用意することなく、排水芯高さの異なる便器あるいは、高さ調整可能な壁掛式便器に対応した前板を複数用意することなく、製造コスト、納期増を無くして簡単に設置することができる衛生設備ユニットを提供することを目的とする。
【０００８】
【課題を解決するための手段】
上記課題を解決するためになされた請求項第１項記載の発明は、給、排水管等を内蔵する配管ユニットと、前記配管ユニットの前面側に取付けられる前板と、前記前板の前面側に大便器等の衛生器具を取付けて構成される衛生設備ユニットにおいて、前記前板に前記衛生器具の排水口位置の変化を吸収する開口部を備えたことを特徴とする衛生設備ユニットを提供する。
【０００９】
本発明によれば、前板に衛生器具の排水口位置の変化を吸収する開口部を設けたことにより排水芯高さが異なる大便器を設置する際にそれぞれの大便器に合わせて前板を用意することなく、省施工、低コストにて排水口位置の異なる大便器を設置することができる。
【００１０】
上記課題を解決するためになされた請求項第２項記載の発明は、前記前板は、中央部前板と両側の側部前板を備えると共に前記中央部前板に前記開口部を備えていることを特徴とする請求項１に記載の衛生設備ユニットを提供する。
【００１１】
本発明によれば、前板を中央部前板と左右の側部前板に分割したために左右の側部前板をスライドさせることができる。よって、様々なトイレ空間の間口に合わせて前板の幅を調整することが可能となり、より広範囲に衛生設備ユニットを省施工にて設置することが可能となる。
【００１２】
上記課題を解決するためになされた請求項第３項記載の発明は、前記側部前板は、左右で幅が異なることを特徴とする請求項２に記載の衛生設備ユニットを提供する。
【００１３】
本発明によれば、側部前板の幅を左右で異なるようにしたことによりお客様の要望に合わせて手摺、カウンター、手洗い等を設置したりするような様々なトイレ空間に対して施主が不自由なく動作することができる位置に大便器を低コスト、省施工、良好な意匠性をもって設置することができる。
【００１４】
上記課題を解決するためになされた請求項第４項記載の発明は、前記前板又は前記中央部前板は、上下に分割され、上部前板と下部前板を備えるとともに、前記下部前板に前記開口部を備えていることを特徴とする請求項２〜３の何れかに記載の衛生設備ユニットを提供する。
【００１５】
本発明によれば、前板又は中央部前板を上部前板と下部前板に上下に分割し、下部前板に開口部を設け、大便器を設置できるようにしたことにより大便器に接続されるロータンク、フラッシュバルブ、給水管、排水管等のメンテナンス性及び施工性が大幅に向上する。
【００１６】
上記課題を解決するためになされた請求項第５項記載の発明は、前記開口部の最上部は、前記下部前板に排水芯高さが最も低い前記衛生器具を設置した際に前記下部前板の高さが前記衛生器具の最上部より低くなるようにしたことを特徴とする請求項４に記載の衛生設備ユニットを提供する。
【００１７】
本発明によれば、排水芯高さが最も低い衛生器具を設置した際に前記開口部の最上位が、前記下部前板の高さが前記衛生器具の最上位より低くなるようにしたことにより上部前板と下部前板が接触する境界線を衛生器具の背面にて隠すことができるために意匠性が向上する。
【００１８】
上記課題を解決するためになされた請求項第６項記載の発明は、前記開口部の最下部は、前記下部前板に排水芯の最も高い衛生器具を設置した際に前記衛生器具の最下部より高くなるようにしたことを特徴とする請求項４及び５に記載の衛生設備ユニットを提供する。
【００１９】
本発明によれば、排水芯高さが最も高い衛生器具を設置した際に衛生器具の最下部より開口部の最下位が高くなるようにしたことにより上部前板と下部前板が接触する境界線を衛生器具の背面にて隠すことができるために意匠性が向上する。
【００２０】
上記課題を解決するためになされた請求項第７項記載の発明は、前記上部前板及び下部前板の横幅は、前記衛生器具の横幅よりも狭いことを特徴とする請求項４〜６に記載の衛生設備ユニットを提供する。
【００２１】
本発明によれば、上部前板と下部前板の横幅が衛生器具の横幅より狭いことから上部前板と下部前板が接触する境界線を衛生器具の背面にて隠すことができるために意匠性が向上する。
【００２２】
上記課題を解決するためになされた請求項第８項記載の発明は、前記衛生器具は、壁掛式便器であることを特徴とする請求項１〜７に記載の衛生設備ユニットを提供する。
【００２３】
本発明によれば、衛生器具を壁掛式便器としたことにより前板を複数用意することなく、便器高さを自由に調整することが可能となり施主の家族形態に合わせて自由な便器高さに設定することができるために使用性が向上する。また、壁掛式便器を設置することにより便器下部が床面と接触しないことから清掃性が大幅に向上し、更に尿垂れによる床染み、臭いの発生を防止することができる。また、壁掛け式の便器において、取付け位置（排水芯高さ）が昇降されても、前板の開口部にて便器と前板との干渉を防止できる。
【００２４】
【発明の実施の形態】
以下、本発明の実施の形態を図面に沿って詳細に説明する。なお、この発明は、それによって限定されるものではない。
【００２５】
【実施例１】
本発明に係わる衛生設備ユニットの一実施例の概略構成図及び概略断面図を図１及び図２にそれぞれ示す。また、本発明に係わる便器種による排水口の高さの違いを図３に示す。
【００２６】
図１では、衛生設備ユニット１００は、図示しない給・排水管を内蔵する配管ユニット１と、配管ユニット１の上部に配置されたカウンター１６と、配管ユニット１の前面に取付けられた左右の側部前板３１と、中央部前板３０と、中央部前板３０の前方に取付けられる便器７にて構成される。ここで、中央部前板３０には、開口部５が設けてあり、開口部５をとおしてフレーム２より突設された便器固定ボルト６を配管ユニット１の前方に突設させるようにして開口部５に中央部前板３０を取付けてある。ここで、開口部５には、洗浄管１３、排水管１４が挿通する形態となっている。次に便器７の後部に形成されたフランジ９には配管ユニット１の前面より突設された便器固定ボルト６の位置と対応する位置にボルト穴８を設けてあり、このボルト穴８に便器固定ボルト６を挿入するとともに固定ナット１０にて配管ユニット１の前面に便器７を取付けてある。
【００２７】
また、開口部５は、上記のように洗浄管１３、排水管１４、便器固定ボルト６の位置が便器種、あるいは、壁掛式便器の場合には、便器高さが変更しても中央部前板３０を変更することなく排水芯高さの位置の変化を吸収し、設置できるような形状であれば、長丸、楕円、台形等何でもよく特に限定されるものではない。また、左側の側部前板３１には、点検口３４が設けてあり図示しない止水栓、ロータンク等の点検、側部前板の設置等が行い易くなる。
【００２８】
図２では、フレーム２に設けたフレーム開口部３６に便器固定ボルト６が挿通してあり、フレーム開口部３６により便器固定ボルト６を上下することができる。よって図２に示すような壁掛式の便器７を身長、年齢、身体機能に合わせて自由な便器高さに設置することができる。ここで、フレーム２には、上下に長穴のフレーム開口部３６を設けて任意の高さ位置に便器７を設置できるようにしているが、フレーム２の上下方向に複数穴のフレーム開口部３６を設けて任意の位置に便器固定ボルト６を挿入する形態であってもよく、便器７を上下できる構造であれば特に限定されるものではない。また、上記中央部前板３０には、開口部５が設けてあり、開口部５をとおして洗浄管１３、排水管１４及びフレーム２を貫通して便器固定ボルト６が出ている。ここで開口部５は、上記のように洗浄管１３、排水管１４、便器固定ボルト６の位置が便器種、あるいは、壁掛式便器の場合には、便器高さが変更しても中央部前板３０を変更することなく設置できるような形状であれば、特に限定されるものではなく、製造コスト、納期増の発生を抑制し、開口部５が便器７にて隠れることから意匠性も向上する。また、図１では、便器固定ボルト６が２本用意されているが、取付けられる便器によって３、４本であっても構わないし、それに合わせてフレーム２、中央部前板３０等を変更されることは言うまでもない。また、洗浄管１３及び排水管１４は、便器７の設置高さの変更に合わせて伸縮するようなフレキシブル性のある材質、形状であることが好ましい。但し、洗浄管１３及び排水管１４が伸縮変形する際には、便器７の洗浄性能に支障がないようにしてあることは言うまでもない。また、排水管１４は、左右どちらかに曲げて配管ユニットから横壁に抜く方式、あるいは、左右に曲げた後に配管ユニット内にて床下に抜く方式、または、真後ろに出して配管ユニット内にて床下に落とし込む方式、または、真後ろに出してそのまま後ろ壁に抜く方式等、特に限定されるものではなく、現場に応じて適宜対応する方式でよく、柔軟性のない硬質塩ビ管等を使用したとしても便器の洗浄性、配管ユニット１内への収まり、製造コスト、施工性に支障のないものであれば何でもよいことは言うまでもない。
【００２９】
また、図２では、配管ユニット１内にてフレーム２の上にロータンク１１を設置しているが、ロータンクの設置については、後壁、横壁、前板等確実に固定されてメンテナンスができる形態であれば何でもよく、ロータンクではなく、フラッシュバルブを用いてもよい。また、カウンター１６の固定は、ビス止め、両面テープ、マジックテープ（Ｒ）等何でもよく、場合によっては、カウンター１６に点検口を設けてもよい。そうすることによりロータンク、フラッシュバルブ、給水管等の点検が行い易くなる。ここで、カウンター１６は、設置される現場に合わせて簡単にカットできるようなＡＢＳ、木質系の材質や予め切り欠き形状等が設けられていることが望ましい。そうすることにより工場にて現場対応することなく、現場にて簡単に調整することが可能となり低コスト・意匠性が向上する。また、フレーム２の固定方法としては、床面・横壁にネジ、クギ、ボルト等に固定しているが、便器を設置して人が使用するにあたり支障がない状況であれば何でもよい。また、図示しない便器洗浄用レバー用の穴は、中央部前板、側部前板のどちらかに設けてあるようにすることが好ましい。また、便器７には、図示しない局部洗浄装置が組付けられていても構わないないし、その場合には、図示しない局部洗浄装置用の給水管が挿通する穴が中央部前板３２又は側部前板３１のどこかに設けられており、使用しない場合には図示しない着脱式カバーで覆われているようにすることが好ましい。
【００３０】
次に便器種による排水口の高さの違いを図３に示す。図３では、ロータンク１１を備えた腰掛式の便器７が示してあり、便器７の排水口の高さは、便器の洗浄方式等により排水口上端と下端の範囲Ｅとなる。よって、このような便器７を設置する際には、図示しない前板に上述した排水口の高さの変化を吸収できる図示しない開口部を設けることが好ましい。そうすることにより、例えリフォーム等により設置したい便器種が変っても図示しない前板を変更することなく便器を設置することが可能となり、低コスト・省施工を実現することができる。
【００３１】
【実施例２】
本発明に係わる前板の間口調整の一実施例の概略図を図４に示す。
図４では、中央部前板３０の前側に左右の側部前板３１が設置してあり、左右の側部前板３１を左右にずらすことにより間口幅Ａや間口幅Ｂのように自由に前板の間口幅を調整することができる。よって、図示しない衛生設備ユニットが設置される様々なトイレ空間の間口に柔軟に対応することができ、更に建築物の施工誤差等にも対応することができるために大幅に意匠性が向上する。また、中央部前板３０は、図中では一体構造となっているが製造コスト等によりネジ止め、ダボ構造等の分割構造であっても使用上支障が無いものであるならば何でもよい。また、図４では、中央部前板３０が上方から見て屈曲形状となっているが、中央部前板３０を平板形状にして側部前板３１を屈曲形状にしても構わない。次に、前板の固定方法としては、中央部前板３０は、図示しないフレームにボルト、ネジ、アングル、磁石等を利用して固定するような形態であってもよいし、側部前板３１は、中央部前板３０、図示しない横壁・床等にボルト、ネジ、アングル、磁石等に着脱可能に固定する形態が好ましい。また、側部前板３１と図示しない横壁との隙間には、コの字状の隙間用部材を利用して壁との隙間を埋めるようにすることが好ましい。
【００３２】
【実施例３】
本発明に係わる側部前板の一実施例の概略図を図５に示す。
図５では、左側にサイドカウンター１７が設けてあり、その横に側部前板幅Ｃ及び点検口３４を備えた側部前板幅Ｄのそれぞれの側部前板３１と、洗浄管１３、排水管１４及び便器固定ボルト６が挿通する開口部５を備えた中央部前板３０と、前記側部前板３１及び前記中央部前板３０の上に配置されるカウンター１６と、図示しない便器にて構成されている。ここで、左右の側部前板３１は、それぞれ幅Ｃと幅Ｄと異なっていることから施主が要望するトイレ空間においてサイドカウンター１７、手洗器等を設置するような場合には、必ずしも便器が間口の中央に設置されるわけではない。このような場合に、上述の実施例２に示したように側部前板３１を左右にスライドさせて行う間口対応では限界があり場合によっては、対応できない現場が発生する。このような場合に側部前板３１の幅を左右で異なる部材を用意することにより柔軟に対応することが可能となる。図５では、左側の側部前板３１の幅Ｃが、右側の側部前板の幅Ｄより小さくなっているが、トイレ空間の構成によって、右側にサイドカウンター１７等が設置されるような場合には、右側の側部前板３１の幅Ｄが左側の側部前板３１の幅Ｃより小さくなるような場合であっても構わない。さらに、中央部前板３０と左右の側部前板３１は、上述の実施例２に示したように左右の側部前板３１をスライドさせる機構にしておけば、より効果的に様々なトイレ空間の間口に対応することが可能となり、意匠性も向上する。
【００３３】
【実施例４】
本発明に係わる衛生設備ユニットの一実施例の概略構成図を図６に示す。
図６では、衛生設備ユニット１００は、図示しない給水管、排水管、洗浄管、ロータンク、フレーム等が内蔵された配管ユニット１と、片方には点検口３４を備えた左右の側部前板３１と、上部前板３２と下部前板３３に分割された中央部前板と、配管ユニット１の上に配置されるカウンター１６と、図示しないフレームに下部前板３３をとおして図示しない便器固定ボルトと固定ナット１０により設置される便器７にて構成されている。ここで、中央部前板は、上部前板３２と下部前板３３に分割されていることから、上部前板３３を外すことにより図示しない大きな開口が得られるために図示しないロータンク、フラッシュバルブ等の漏水、結露等のメンテナンス性や施工性が向上する。また、図６に記載の便器７は、壁掛式を示しているが一般の腰掛式便器であっても特に問題がないことは言うまでもない。更に壁掛式便器の設置においては、意匠性を重要視する場合が多く、その際に便器７の幅より上部前板３２と下部前板３３にて構成される中央部前板の幅が小さくなるようにすることにより上部前板３２と下部前板３３との接触部３８が便器７の背面にて隠されることから意匠性を確保しながらメンテナンス性を向上させることが可能となる。但し、上部前板３２と下部前板３３との接触部３８は、便器７の背面に隠れる位置にあるようにすることは言うまでもない。また、固定ナット１０に着脱可能なカバーを設けてスッキリさせるようにすることが好ましい。また、下部前板３３には、便器７を取付けるための図示しない開口部が設けられており、この開口部の大きさは、壁掛式の便器７を上下させる範囲に対応できるようにしてあることは言うまでもない。また、下部前板に設けられた図示しない開口部は、便器７の背面に隠れる範囲において、水平方向に拡大されていてもよい。そうすることにより衛生設備ユニットが設置される現場に建築誤差があったとしても建築物を修正する等の作業が発生することなく衛生設備ユニットを問題なく設置することができ、施工に関する負荷を低減することが可能となる。
【００３４】
【実施例５】
本発明に係わる衛生設備ユニットの一実施例の概略構成図を図７に示す。
図７では、衛生設備ユニット１００は、図示しない給水管、排水管１４、ロータンク１１、図示しない止水栓・フレーム等が内蔵された配管ユニット１と、図示しない左右の側部前板と、上部前板３２と下部前板３３に分割された中央部前板と、配管ユニット１の上に配置されるカウンター１６と、下部前板３３に設けた開口部５をとおして洗浄管１３と排水管１４が接続される便器７にて構成されている。ここで、便器７は腰掛式便器を示しているが壁掛式便器であっても構わないし、配管ユニット１内には、ロータンク１１を配置しているがフラッシュバルブ方式であっても特に問題はない。また、設置される便器種が、腰掛式便器の場合には、使用者が安全に使用することが可能であれば床に固定する形態であっても図示しないフレームに固定する形態であっても構わない。また、下部前板３３に設けた洗浄管１３、排水管１４、図示しない便器固定ボルト等を通す開口部５の最上部５２は、排水芯高さが最も低いタイプの便器７あるいは、図示しない壁掛式便器を最も低く設置したときに下部前板の最上部５１が便器７の最上部５０よりも低くなるように設置してある。そうすることにより上部前板と下部前板の接触部である下部前板の最上部５１を便器７の背面にて隠すことが可能となり意匠性を向上することができる。なお、その際に上部前板３２と下部前板３３とからなる中央部前板の幅が便器７の幅より小さいことが好ましい。そうすることにより下部前板の最上部５１を便器７の背面にて隠すことが可能となり更に意匠性が向上する。
【００３５】
【実施例６】
本発明に係わる衛生設備ユニットの一実施例の概略構成図を図８に示す。
図８では、衛生設備ユニット１００は、図示しない給水管、排水管１４、ロータンク１１、図示しない止水栓・フレーム等が内蔵された配管ユニット１と、図示しない左右の側部前板と、上部前板３２と下部前板３３に分割された中央部前板と、配管ユニット１の上に配置されるカウンター１６と、下部前板３３に設けた開口部５をとおして洗浄管１３と排水管１４が接続される便器７にて構成されている。ここで、便器７は壁掛式便器を示しているが腰掛式便器であっても構わないし、配管ユニット１内には、ロータンク１１を配置しているがフラッシュバルブ方式であって特に問題はない。また、設置される便器種が、腰掛式便器の場合には、使用者が安全に使用することが可能であれば床に固定する形態であっても図示しないフレームに固定する形態であっても構わない。また、下部前板３３に設けた洗浄管１３、排水管１４、図示しない便器固定ボルト等を通す開口部５の最下部５３は、壁掛式便器を最も高く設置した便器７あるいは図示しない排水芯高さが最も高い腰掛式便器を設置した際、便器７の最下部５０よりも高くなるように設置してある。そうすることにより便器７の下部より下部前板３３に設けた開口部５の最下部５３が見えることを防止することができ、意匠性を保持することができる。なお、その際に上部前板３２と下部前板３３とからなる中央部前板の幅が便器７の幅より小さいことが望ましい。そうすることにより下部前板の最上部５１を便器７の背面にて隠すことが可能となり更に意匠性が向上する。ここで、下部前板の最上部５１が便器の最上部５０より低くなっていることは言うまでもない。
【００３６】
【実施例７】
本発明に係わる前板の一実施例の上面図を図９に示す。また、本発明に係わる前板の一実施例の正面図を図１０に示す。
図９では、横壁１９に固定されたフレーム２の正面側に固定してある側部前板３１と、上部前板３２と、図示しない便器等の衛生設備機器を取付ける開口部５を備えた下部前板３３にて前板を構成している。図１０では、図９に示した前板の一実施例の正面図を示しており、鳥居形状の上部前板３２に下部前板３３が組み合わされる形態をとっており、施工時には、下部前板３３を図示しないフレーム２と開口部５をとおして図示しない便器等にて挟み込む形態にて固定し、その上方から上部前板３２を下部前板３３に組み合せる形で設置することから施工性が向上する。また、建築側による間口の調整に関しては、上部前板３２と下部前板３３と、横壁１９との隙間を図示しないフレーム２に固定された側部前板３１にて埋める形にて調整する形態がとれることから建築側の間口調整は、良好に対応することができる。また、間口調整を横壁１９付近にて対応することからあまり目立つことがなく意匠性も向上する。また、上部前板３２と下部前板３３の組合せは、鳥居形状を利用しているが特に限定されるものではなく、施工性、意匠性等に良好な形態であれば何でもよいことは言うまでもない。
【図面の簡単な説明】
【図１】本発明に係わる衛生設備ユニットの一実施例の概略構成図を示す。
【図２】本発明に係わる衛生設備ユニットの一実施例の概略断面図を示す。
【図３】本発明に係わる便器種による排水口の高さの違いを示す。
【図４】本発明の係わる前板の間口調整の一実施例の概略図を示す。
【図５】本発明に係わる側部前板の一実施例の概略図を示す。
【図６】本発明に係わる衛生設備ユニットの一実施例の概略構成図を示す。
【図７】本発明に係わる衛生設備ユニットの一実施例の概略構成図を示す。
【図８】本発明に係わる衛生設備ユニットの一実施例の概略構成図を示す。
【図９】本発明に係わる前板の一実施例の上面図を示す。
【図１０】本発明に係わる前板の一実施例の正面図を示す。
【図１１】従来の衛生設備ユニットの概略図である。
【図１２】従来の衛生設備ユニットの断面図である。
【符号の説明】
１…配管ユニット、２…フレーム、３…開口、
４…前板、５…開口部、６…便器固定ボルト、
７…便器、８…ボルト穴、９…フランジ、
１０…固定ナット、１１…ロータンク、１２…開閉弁、
１３…洗浄管、１４…排水管、１５…固着具、
１６…カウンター、１７…サイドカウンター、
１８…床、１９…横壁、２０…後壁、
３０…中央部前板、３１…側部前板、３２…上部前板、
３３…下部前板、３４…点検口、３５…給水管、
３６…フレーム開口部、３７…排水口、３８…上部前板と下部前板の接触部、
５０…便器の最上部、５１…下部前板の最上部、５２…開口部の最上部、
５３…開口部の最下部、５４…便器の最下部、
１００…衛生設備ユニット、
Ａ…間口幅Ａ、Ｂ…間口幅Ｂ、Ｃ…側部前板幅Ｃ、
Ｄ…側部前板幅Ｄ、Ｅ…便器種による排水口の上下範囲
【図１】
2004116222.tif 000003
【図２】
2004116222.tif 000004
【図３】
2004116222.tif 000005
【図４】
2004116222.tif 000006
【図５】
2004116222.tif 000007
【図６】
2004116222.tif 000008
【図７】
2004116222.tif 000009
【図８】
2004116222.tif 000010
【図９】
2004116222.tif 000011
【図１０】
2004116222.tif 000012
【図１１】
2004116222.tif 000013
【図１２】
2004116222.tif 000014